【手続補正書】
【提出日】平成15年12月9日(2003.12.9)
【手続補正１】
【補正対象書類名】明細書
【補正対象項目名】全文
【補正方法】変更
【補正の内容】
【発明の名称】液晶表示装置の駆動方法および駆動装置
【特許請求の範囲】
【請求項１】複数の行電極と複数の列電極とを有する画像表示装置の行電極を複数本一括選択し、選択された各列電極に所定の電圧を印加する画像表示装置の駆動方法において、
前記画像表示装置に入力された画像データをもとに作成された所定の電圧が前記行電極および列電極に印加開始される時点を判定し、
前記画像表示装置に電源電圧の供給が開始されてから前記時点まで、前記行電極および列電極に同レベルの電圧を印加する
液晶表示装置の駆動方法。
【請求項２】画像表示装置に入力された画像データをもとに作成された所定の電圧が行電極および列電極に印加開始される時点を、メモリ内のデータを列電極駆動部に取り込ませるためのラッチ信号が出力された時点にもとづいて判定する
請求項１に記載の液晶表示装置の駆動方法。
【請求項３】メモリから所定フレーム数分のデータが読み出された後に、メモリ内のデータを列電極駆動部に取り込ませるためのラッチ信号が出力されたか否か判定する
請求項２に記載の液晶表示装置の駆動方法。
【請求項４】複数の行電極と複数の列電極とを有する画像表示装置の行電極を複数本一括選択し、選択された各列電極に所定の電圧を印加する画像表示装置の駆動装置において、
前記画像表示装置に入力された画像データをもとに作成された所定の電圧が前記行電極および列電極に印加開始される時点を判定する判定手段と、
前記画像表示装置に電源電圧の供給が開始されてから前記時点まで、前記行電極および列電極に同レベルの電圧を印加する電圧制御手段と
を備えた液晶表示装置の駆動装置。
【発明の詳細な説明】
【０００１】
【発明の属する技術分野】
本発明は、高速で応答する液晶表示素子を駆動するのに適した液晶表示装置の駆動方法およびその駆動方法を用いる液晶表示装置の駆動装置に関する。特に、複数ライン同時選択法によって駆動される液晶表示装置に適した駆動方法および駆動装置に関する。
【０００２】
【従来の技術】
ＳＴＮ液晶素子をより高速に駆動するために、複数ライン同時選択法が提案されている。複数ライン同時選択法は、複数の走査電極（行電極）を一括して選択して駆動する方法である。複数ライン同時選択法では、データ電極（列電極）に供給される列表示パターンを独立に制御するために、同時に駆動される各行電極には所定の電圧パルス列が印加される。
【０００３】
各行電極に印加される電圧パルス電圧群（選択パルス群）は、Ｌ行Ｋ列の行列で表すことができる。以下、この行列を選択行列（Ａ）という。Ｌは同時選択数である。電圧パルス電圧群は、互いに直交するベクトルの群として表される。従って、それらのベクトルを要素として含む行列は直交行列となる。行列内の各行ベクトルは互いに直交である。直交行列において、各行は液晶表示素子の各ラインに対応する。例えば、Ｌ本の選択ラインの中の第１番目のラインに対して、選択行列（Ａ）の第１行目の要素が適用される。すなわち、１列目の要素、２列目の要素の順に選択パルスが、第１番目の行電極に印加される。
【０００４】
図５は、列電極に印加される電圧波形のシーケンスの決め方を示す説明図である。ここでは、選択行列（Ａ）として４行４列のアダマール行列を例にとる。図５における選択行列（Ａ）おいて、「１」は正の選択パルス、「−１」は負の選択パルスを意味する。
列電極ｉ，ｊにおいて表示されるべき表示データが図５（ａ）に示すようになっているとする。すると、列表示パターンは、図５（ｂ）に示すようなベクトル（ｄ）で表される。図５（ｂ）において、「−１」はオン表示に対応し、「１」はオフ表示に対応する。列電極ｉ，ｊに順次印加されるべき電圧パターンは図５（ｂ）に示すベクトル（ｖ）のようになる。このベクトルは、列表示パターン（画像表示パターン）とそれに対応する行選択パターンとについてビットごとに排他的論理和をとり、それらの結果の和をとったものに対応する。その波形は、図５（ｃ）に示されたようになる。図５（ｃ）において、縦軸は列電極に印加される電圧、横軸は時間を示しているが、それらの単位は任意である。
【０００５】
複数ライン同時選択法によって液晶表示素子を駆動する場合、液晶表示素子のフレーム応答を抑制するために、一表示サイクル内で電圧印加素子は分散していることが望ましい。そのために、具体的には、例えば、同時選択される第１番目の行電極群（以下、サブグループという。）に対するベクトル（ｖ）の第１番目の要素が印加され、次に、同時選択される第２番目のサブグループに対する第１番目の要素が印加されるといったシーケンスが実行される。
このような駆動方法は、液晶のフレーム応答を抑制し、その結果、高速応答（液晶分子の立ち上がり時間とたち下がり時間の和が２００ｍｓ未満）の液晶表示素子を用いて高コントラスト比を達成でき、従来動画表示が困難とされていたＳＴＮなど単純マトリクス表示装置において、高品位の画像提供が可能となっている。
【０００６】
以下、このような駆動方法を達成するための駆動回路の構成を説明する。
図６は、複数ライン同時選択駆動を実現する駆動装置を搭載した液晶表示装置１０の一例を示すブロック図である。図６において、複数ライン同時選択駆動装置２０は、画像データ信号１００と、ドットクロック信号、垂直同期信号、水平同期信号、画像データの有効期間を示すデータ・イネーブル信号等の制御信号１０１を入力し、複数ライン同時選択駆動するためのカラムデータ信号１０４およびカラムドライバ制御信号１０５をカラムドライバ４０に出力し、ロウ選択パターン信号１０６およびロウドライバ制御信号１０７をロウドライバ５０に出力する駆動装置である。液晶駆動用電源回路３０は、液晶表示装置１０に供給される電圧１０２を昇圧して液晶駆動用の高電圧を生成し、その電圧を液晶駆動用電圧１０８，１０９としてカラムドライバ４０およびロウドライバ５０に供給する電源回路である。そして、カラムドライバ４０およびロウドライバ５０は、それぞれ所定のレベルの電圧を液晶パネル６０の電極に印加する。
【０００７】
図７は、複数ライン同時選択駆動装置２０の内部構成を示すブロック図である。複数ライン同時選択駆動装置２０に入力される階調情報を持った画像データ１００は、フレーム変調回路２１に入力される。フレーム変調回路２１は、入力した画像データ１００を各表示フレームごとにオン／オフ１ビットのデータに変換して書き込みデータバッファ２２に出力する。書き込みデータバッファ２２は、入力されたデータが所定のビット分貯まると、データをフレームメモリ２３に書き込む。フレームメモリ２３に書き込まれたデータは、複数ライン同時選択駆動するため複数回読み出されるまでここで保持される。
【０００８】
フレームメモリ２３から読み出されたデータは、読み出しデータバッファ２５に入力される。読み出しデータバッファ２５では、データが、次段のカラムデータ信号発生器２６で複数ライン同時選択演算処理が行えるようなデータフォーマットに変換される。カラムデータ信号発生器２６は、ロウ選択パターン発生器２８からのロウ選択パターン信号１０６と読み出しデータバッファ２５の出力とを入力して、図５に例示したような複数ライン同時選択演算処理を行い、液晶パネル６０のカラム電極に印加するべき電圧値レベルを決定する。そして、各電圧値レベルをカラムデータ信号１０４としてカラムドライバ４０に出力する。ロウ選択パターン発生器２８からのロウ選択パターン信号１０６は、ロウドライバ５０に供給される。カラムドライバ４０およびロウドライバ５０は、入力した信号に応じて液晶パネル６０のカラム電極およびロウ電極を駆動する。
【０００９】
ドライバ制御信号発生器２９は、カラムドライバ４０およびロウドライバ５０の駆動タイミングを制御する。メモリコントロール回路２４は、書き込みデータバッファ２２からフレームメモリ２３へのデータの書き込みとフレームメモリ２３から読み出しデータバッファ２５への読み出しの制御を行う。またタイミングコントロール回路２７は、ドットクロック信号、垂直同期信号、水平同期信号、および画像データの有効期間を示すデータ・イネーブル信号等の制御信号１０１を入力し、これらの信号から複数ライン同時選択駆動装置２０の内部で必要な制御信号を生成する。
【００１０】
次に、図８のタイミング図を参照して液晶表示装置１０に電源電圧が供給され、制御信号１０１、画像データ信号１００の入力が開始された後、カラムドライバ４０およびロウドライバ５０から液晶パネル６０の電極に確定した電圧が出力されるまでのシーケンスについて説明する。
【００１１】
図８において、
（Ａ）は液晶表示装置１０に供給される電源電圧、
（Ｂ）は液晶表示装置１０に入力される垂直同期信号、
（Ｃ）は液晶表示装置１０に入力されるドットクロック信号、
（Ｄ）は液晶表示装置１０に入力される画像データ信号、
（Ｅ）は書き込みデータバッファ２２からフレームメモリ２３に出力されるデータ信号、
（Ｆ）はフレームメモリ２３から読み出しデータバッファ２５に出力されるデータ信号、
（Ｇ）はカラムデータ信号発生器２６からカラムドライバ４０に出力されるカラムデータ信号、
（Ｈ）は１行分のカラムデータをカラムドライバ４０にラッチさせるため、ドライバ制御信号発生器２９から出力されるラッチ信号、
（Ｉ）はカラムドライバ４０およびロウドライバ５０からの出力電圧、
（Ｊ）液晶駆動用電源回路３０からカラムドライバ４０およびロウドライバ５０に供給される液晶駆動用電圧、
をそれぞれ示す。
【００１２】
図８（Ａ）に示すように電源が投入され液晶表示装置１０に電源電圧の供給が開始されると、図８（Ｂ），（Ｃ）に示すように、一定時間経過後、パーソナルコンピュータ等の側からドットクロック信号および垂直同期信号等の制御信号１０１が供給される。続いて、画像データ信号１００が供給される（図８（Ｄ）参照）。画像データ信号１００は、複数ライン同時選択駆動装置２０内のフレーム変調回路２１でフレーム変調処理が施された後、書き込みデータバッファ２２に書き込まれる。所定ビット数のデータが書き込みデータバッファ２２に書き込まれると、データはフレームメモリ２３に書き込まれる（図８（Ｅ）参照）。
【００１３】
一フレーム分のデータがフレームメモリ２３に書き込まれた後、メモリコントロール回路２４は、次に入力される垂直同期信号に同期してフレームメモリ２３から読み出しデータバッファ２５にデータが読み出されるように制御する（図８（Ｆ）参照）。読み出されたデータは、カラムデータ信号発生器２６で複数ライン同時選択演算処理される。そして、演算結果であるカラムデータ信号１０４がカラムドライバ４０に出力される（図８（Ｇ）参照）。一行分のカラムデータ信号１０４がカラムドライバ４０に送られると、カラムドライバ制御信号１０５として、データをカラムドライバ４０に取り込ませるためのラッチ信号がドライバ制御信号発生器２９から出力される（図８（Ｈ）参照）。
【００１４】
一方、液晶駆動用電源回路３０は、電源が供給されるとこれを昇圧して液晶駆動用の高電圧を生成し、液晶駆動用電圧１０８，１０９としてカラムドライバ４０およびロウドライバ５０に供給する（図８（Ｊ）参照）。カラムドライバ４０およびロウドライバ５０は、液晶駆動用電源回路３０から液晶駆動用電圧１０８，１０９が供給されると、液晶パネル６０にカラムデータ信号１０４および行選択パターンに応じた電圧を印加する。従って、確定したカラムデータ信号１０４および行選択パターンをカラムドライバ４０およびロウドライバ５０が受け取るまでの期間は、液晶パネル６０には不定の電圧レベルが印加される（図８（Ｉ）における不定電圧部分参照）。そして、カラムデータ信号１０４およびロウ選択パターン信号１０６が転送され、ラッチ信号を受け取ると、カラムドライバ４０およびロウドライバ５０は、それぞれのデータにもとづく所定の電圧を液晶パネル６０の電極に印加する（図８（Ｉ）の確定電圧部分参照）。
【００１５】
図８（Ｉ）に示すように、カラムドライバ４０およびロウドライバ５０の出力電圧が不定になっている期間が存在している。不定な出力電圧の状態とは、具体的には直流電圧が液晶パネル６０の電極に印加されていることを意味する。液晶パネル６０に継続的に直流電圧が印加されると、液晶パネル６０が不正な表示をするだけではなく液晶が破損される可能性がある。
【００１６】
上述した複数ライン同時選択駆動装置の場合と同様に、複数ライン同時選択駆動ではない従来の駆動装置による液晶表示装置においても、電源供給が開始される際にカラムドライバおよびロウドライバから不定電圧が出力される期間が存在する。すなわち、カラムドライバおよびロウドライバは、液晶駆動用電源回路から液晶駆動用電圧が供給された後、それぞれ所定のカラムデータおよび行選択パターンを受け取るまで不定の電圧レベルを出力する。そして、カラムデータおよび行選択パターンを受け取ると、それぞれのデータにもとづく所定の電圧を液晶パネルの電極に印加する。
【００１７】
複数ライン同時選択駆動ではない従来の駆動装置において、電源電圧供給開始時に不定の電圧レベルが液晶パネルに印加され液晶が破損することを防止するために、液晶表示装置に対して外部から液晶駆動用電圧の制御信号を供給する駆動方法が用いられる場合がある。以下、液晶駆動用電圧制御信号を使用して、不定電圧の印加から液晶の破損を防止する従来の液晶表示装置の駆動装置について説明する。
【００１８】
図９は、従来の液晶表示装置に電源電圧が供給され、制御信号および画像データ信号の入力が開始された後、液晶駆動用電圧の制御信号が供給されるシーケンスを示すタイミング図である。
図９において、
（Ａ）は液晶表示装置に入力される電源電圧、
（Ｂ）は液晶表示装置に入力されるドットクロック信号、垂直同期信号などの制御信号、
（Ｃ）は液晶表示装置に入力される画像データ信号、
（Ｄ）は液晶表示装置に入力される液晶駆動用電圧の制御信号、
（Ｅ）はカラムドライバおよびロウドライバからの出力電圧、
（Ｆ）液晶駆動用電源回路からカラムドライバおよびロウドライバに供給される液晶駆動用電圧、
をそれぞれ示す。
【００１９】
電源が投入され液晶表示装置に電源電圧の供給が開始されると、液晶表示装置内の液晶駆動用電源回路は、図９（Ｆ）に示すように、入力電圧を昇圧して液晶駆動用の高電圧を生成し、カラムドライバおよびロウドライバに液晶駆動用電圧を供給する。その後、ドットクロック信号および垂直同期信号等の制御信号が供給され、続いて画像データ信号が供給される（図９（Ｂ）,（Ｃ）参照）。
【００２０】
カラムドライバに所定のライン数分または所定のフレーム分のデータが転送される時間が経過した後、パーソナルコンピュータにおけるＬＣＤコントローラ装置等は、液晶駆動用電圧制御信号をローレベルからハイレベルに変える（図９（Ｄ）参照）。液晶駆動用電圧制御信号は、従来の液晶表示装置においてカラムドライバおよびロウドライバのＤＩＳＰ＿ＯＦＦ端子に入力される。カラムドライバおよびロウドライバは、ＤＩＳＰ＿ＯＦＦ端子の入力がロウレベルである期間では、液晶パネルの全ての画素の電圧が０Ｖになるように、全てのパネル電極への出力端子から同一の電圧を出力する。また、ＤＩＳＰ＿ＯＦＦ端子の入力がハイレベルである期間では、転送されたデータにもとづく電圧レベルを出力する。
【００２１】
以上のように、液晶表示装置に電源電圧の供給が開始された後、カラムドライバに所定のライン数分または所定フレーム分のカラムデータが転送され、転送されたデータにもとづく正しい電圧がカラムドライバから出力されるまでの期間、カラムドライバおよびロウドライバのそれぞれのＤＩＳＰ＿ＯＦＦ端子はローレベルに保持される。このような制御によって、液晶パネルに対する不正な電圧印加およびそれによる液晶パネルの破損が防止される。
【００２２】
このような液晶駆動用電圧制御信号を利用した制御方法を複数ライン同時選択駆動装置をもつ液晶表示装置に適用した場合にどのような問題があるかについて説明する。
図１０は、複数ライン同時選択駆動装置２０をもつ液晶表示装置１０に液晶駆動用電圧制御信号１０３が供給される場合の例を示したものである。図１０において、外部から供給される液晶駆動用電圧制御信号１０３は、従来駆動法による駆動回路の場合と同様に、カラムドライバ４０およびロウドライバ５０のそれぞれのＤＩＳＰ＿ＯＦＦ端子に接続される。液晶駆動用電圧制御信号１０３以外の駆動装置の各要素は、図６および図７に示されたものと同様である。
【００２３】
図１０に示された装置における動作を図１１のタイミング図を参照して説明する。
図１１において、
（Ａ）は液晶表示装置１０に入力される電源電圧、
（Ｂ）は液晶表示装置１０に入力される垂直同期信号、
（Ｃ）は液晶表示装置１０に入力されるドットクロック信号、
（Ｄ）は液晶表示装置１０に入力される画素データ信号、
（Ｅ）は書き込みデータバッファ２２からフレームメモリ２３に出力されるデータ信号、
（Ｆ）はフレームメモリ２３から読み出しデータバッファ２５に出力されるデータ信号、
（Ｇ）はカラムデータ信号発生器２６からカラムドライバ４０に出力されるカラムデータ信号、
（Ｈ）は１行分のカラムデータをカラムドライバ４０にラッチさせるため、ドライバ制御信号発生器２９から出力されるラッチ信号、
（Ｉ）はカラムドライバ４０およびロウドライバ５０からの出力電圧、
（Ｊ）は液晶駆動用電圧制御信号、
（Ｋ）液晶駆動用電源回路３０からカラムドライバ４０およびロウドライバ５０に供給される液晶駆動用電圧、
をそれぞれ示す。
【００２４】
図１１（Ａ）に示すように、液晶表示装置１０に電源電圧の供給が開始されると、液晶駆動用電源回路３０は、入力電圧を昇圧して液晶駆動用の高電圧を生成し、液晶駆動用電圧１０８，１０９をカラムドライバ４０およびロウドライバ５０に供給する（図１１（Ｋ）参照）。
その後、パーソナルコンピュータ等の側からドットクロック信号および垂直同期信号等の制御信号１０１が供給され、続いて画像データ信号１００が供給される（図１１（Ｂ）,（Ｃ）,（Ｄ）参照）。画像データ信号１００は、複数ライン同時選択駆動装置２０内のフレーム変調回路２１で処理された後、書き込みデータバッファ２２からフレームメモリ２３に書き込まれる（図１１（Ｅ）参照）。
【００２５】
一フレーム分のデータがフレームメモリ２３に書き込まれた後、次の垂直同期信号に同期してフレームメモリ２３から読み出しデータバッファ２５にデータが読み出される（図１１（Ｆ）参照）。読み出されたデータはカラム信号発生器２６で複数ライン同時選択演算処理される。演算結果であるカラムデータ信号１０４がカラムドライバ４０に出力される（図１１の（Ｇ）参照）。一行分のカラムデータが送られると、データをカラムドライバ４０に取り込ませるためのラッチ信号がドライバ制御信号発生器２９から出力される（図１１（Ｈ）参照）。
【００２６】
上述したように、液晶駆動用電圧制御信号１０３は、カラムドライバ４０に所定のライン数分またはフレーム数分のデータが転送される時間が経過した後に、ローレベルからハイレベルに変えられる。ここでは、一フレーム分のデータが転送された後、ローレベルからハイレベルに変えられる場合を示す（図１１（Ｊ）参照）。液晶駆動用電圧制御信号１０３は、カラムドライバ４０およびロウドライバ５０のＤＩＳＰ＿ＯＦＦ端子に入力されている。カラムドライバ４０およびロウドライバ５０は、ＤＩＳＰ＿ＯＦＦ端子の入力がロウレベルである期間では、液晶パネル６０の全ての画素の電圧を０Ｖにするように、全てのパネル電極への出力端子から同一の電圧を出力する。その後、ＤＩＳＰ＿ＯＦＦ端子の入力がハイレベルになると、転送されたデータにもとづく電圧レベルを出力する。
【００２７】
しかし、図１１に示すように、液晶駆動用電圧制御信号１０３がハイレベルになった時点では、カラムドライバ４０およびロウドライバ５０には、まだ一行目のカラムデータおよび行選択パターンが取り込まれていない。そのため、液晶駆動用電圧制御信号１０３がハイレベルになる時から、一行目のカラムデータをカラムドライバ４０に取り込ませるためのラッチ信号が出力される時間までの間、カラムドライバ４０およびロウドライバ５０から不定な電圧レベルが液晶パネル６０の電極に印加される（図１１（Ｉ）の不定電圧の部分参照）。この状態は、やはり直流電圧が液晶パネル６０の電極に印加されていることを意味する。従って、不正な表示および液晶の破損を生ずる可能性が残る。
【００２８】
【発明が解決しようとする課題】
複数ライン同時選択駆動装置２０では、上述したように、液晶表示装置１０に供給される画像データを一度フレームメモリ２３に書き込み、その後フレームメモリ２３から画像データを読み出して複数ライン同時選択演算処理を行い、その演算結果がカラムデータとしてカラムドライバ４０に転送される。すなわち、画像データの供給が開始されてからカラムドライバ４０にカラムデータが取り込まれるまでには、特定の時間が経過する。よって、液晶駆動用電圧制御信号１０３が複数ライン同時選択駆動装置２０による液晶表示装置１０に供給される場合は、不正な表示および液晶の破損を防止するために、画像データの供給開始後、特定の時間が経過した後に液晶駆動用電圧制御信号１０３がローレベルからハイレベルに変化するように供給されねばならない。
【００２９】
しかし、液晶駆動用電圧制御信号１０３は、液晶表示装置１０の外部から供給される信号である。液晶駆動用電圧制御信号１０３は、液晶表示装置１０に画像データ等を供給する装置、例えばパーソナルコンピュータシステムにおけるＬＣＤコントローラ装置によって制御されている。画像データの供給開始後、液晶駆動用電圧制御信号１０３がローレベルからハイレベルに変化するまでの時間は、各ＬＣＤコントローラ装置によって違っている。従って、従来駆動法の液晶駆動用電圧制御信号１０３を複数ライン同時選択駆動の液晶表示装置１０におけるカラムドライバ４０およびロウドライバ５０のそれぞれのＤＩＳＰ＿ＯＦＦ端子に導入したとしても、上述した例のように、液晶駆動用電圧制御信号１０３がローレベルからハイレベルに変化する時間から、正規のカラムデータをカラムドライバ４０に取り込ませるためのラッチ信号が出力される時間までの期間において、カラムドライバ４０およびロウドライバ５０から不定な電圧レベルが液晶パネル６０の電極に印加される状態が生ずることを排除しきれない。
【００３０】
以上のように、複数ライン同時選択駆動装置２０による液晶表示装置１０においては、電源電圧が供給された後、カラムドライバ４０およびロウドライバ５０にそれぞれ所定のカラムデータおよび行選択パターンが取り込まれるまでの期間では、不定の電圧レベルが液晶パネル６０の電極に印加されてしまう。不正電圧の出力を防止するために、従来の制御方法による液晶駆動用電圧制御信号１０３をカラムドライバ４０およびロウドライバ５０のＤＩＳＰ＿ＯＦＦ端子に入力しても、不定の電圧レベルが液晶パネルの電極に印加される状態をなくせないという問題があった。
【００３１】
この発明は、そのような課題を解決し、不定な電圧レベルの液晶パネルの電極への印加を防止することが出来る複数ライン同時選択駆動装置による液晶表示装置の駆動方法および液晶表示装置を提供することを目的とする。
【００３２】
【課題を解決するための手段】
この発明による液晶表示装置の駆動方法は、画像表示装置に入力された画像データをもとに作成された所定の電圧が画像表示装置の行電極および列電極に印加開始される時点を判定するステップと、画像表示装置に電源電圧の供給が開始されてから判定された時点まで、行電極および列電極に同一レベルの電圧を印加するステップとを備える。
【００３３】
また、この発明による液晶表示装置の駆動装置は、画像表示装置に入力された画像データをもとに作成された所定の電圧が画像表示装置の行電極および列電極に印加開始される時点を判定する判定手段と、画像表示装置に電源電圧の供給が開始されてから判定手段が判定した時点まで、行電極および列電極に同一レベルの電圧を印加する電圧制御手段とを備える。
【００３４】
【発明の実施の形態】
実施形態１．
以下、この発明の各実施の形態を説明する。
図１は、第１の実施形態による複数ライン同時選択駆動装置におけるドライバ制御信号発生器２９Ａの一例をカラムドライバ４０、ロウドライバ５０および液晶パネル６０とともに示すブロック図である。図において、ドライバ制御信号発生器２９ＡにおけるＤＩＳＰ＿ＯＦＦ信号発生器７２は、カラムドライバラッチ信号発生器７１からのラッチ信号１２２を入力し、カラムドライバ４０およびロウドライバ５０の出力を制御するためのＤＩＳＰ＿ＯＦＦ信号１２４を発生する。この実施形態における液晶駆動装置および複数ライン同時選択駆動装置は、ドライバ制御信号発生器２９Ａを除いて、図６および図７に示された従来の液晶駆動装置１０および複数ライン同時選択駆動装置２０と同様に構成できる。なお、図１では、複数ライン同時選択駆動装置２０におけるドライバ制御信号発生器２９Ａのみが示されている。ドライバ制御信号発生器２９Ａにおけるカラムドライバラッチ信号発生器７１は、従来の複数ライン同時選択駆動装置２０におけるドライバ制御信号発生器２９の機能と同一の機能を有する。すなわち、カラムデータ信号発生器２６からカラムドライバ４０に一行分のカラムデータが送られると、そのデータをカラムドライバ４０に取り込ませるためのラッチ信号１２２を発生する。
【００３５】
次に、図１、図６および図７のブロック図、ならびに図２のタイミング図を参照して動作について説明する。
図２において、
（Ａ）は液晶表示装置１０に供給される電源電圧、
（Ｂ）は液晶表示装置１０に供給される垂直同期信号、
（Ｃ）は液晶表示装置１０に供給されるドットクロック信号、
（Ｄ）は液晶表示装置１０に供給される画像データ信号、
（Ｅ）は書き込みデータバッファ２２からフレームメモリ２３に出力されるデータ信号、
（Ｆ）はフレームメモリ２３から読み出しデータバッファ２５に出力されるデータ信号、
（Ｇ）はカラムデータ信号発生器２６からカラムドライバ４０に出力されるカラムデータ信号、
（Ｈ）はカラムドライバラッチ信号発生器７１から出力されるラッチ信号、
（Ｉ）はＤＩＳＰ＿ＯＦＦ信号発生器７２から出力されるＤＩＳＰ＿ＯＦＦ信号、
をそれぞれ示す。
【００３６】
図２（Ａ）に示すように電源が投入され液晶表示装置１０に電源電圧の供給が開始されると、図２（Ｂ），（Ｃ）に示すように、一定時間経過後、パーソナルコンピュータ等の側からドットクロック信号および垂直同期信号等の制御信号１０１が供給される。続いて、画像データ信号１００が供給される（図２（Ｄ）参照）。画像データ信号１００は、複数ライン同時選択駆動装置２０内のフレーム変調回路２１でフレーム変調処理が施された後、書き込みデータバッファ２２に書き込まれる。所定ビット数のデータが書き込みデータバッファ２２に書き込まれると、データはフレームメモリに転送される（図２（Ｅ）参照）。
【００３７】
一フレーム分のデータがフレームメモリ２３に書き込まれた後、メモリコントロール回路２４は、次の垂直同期信号に同期してフレームメモリ２３から読み出しデータバッファ２５にデータが読み出されるように制御する。（図２（Ｆ）参照）。読み出されたデータは、カラムデータ信号発生器２６で複数ライン同時選択演算処理される。そして、演算結果であるカラムデータ信号１０４がカラムドライバ４０に出力される（図２（Ｇ）参照）。一行分のカラムデータ信号１０４がカラムドライバ４０に送られる毎に、カラムドライバ制御信号１０５として、データをカラムドライバに取り込ませるためのラッチ信号がドライバ制御信号発生器２９Ａのカラムドライバラッチ信号発生器７１から出力される（図２（Ｈ）参照）。以上のデータ信号の処理過程は、従来の複数ライン同時選択駆動装置２０の場合と同様である。なお、フレームメモリ２３は２フレーム分のデータを記憶できる容量を有し、いわゆるダブルバッファとして使用される。
【００３８】
この実施の形態では、カラムドライバ４０およびロウドライバ５０のＤＩＳＰ＿ＯＦＦ端子には、外部からの液晶駆動用電圧制御信号ではなく、ＤＩＳＰ＿ＯＦＦ信号発生器７２が発生するＤＩＳＰ＿ＯＦＦ信号１２４が供給される。ＤＩＳＰ＿ＯＦＦ信号発生器７２は、液晶表示装置１０に電源電圧の供給が開始されるとＤＩＳＰ＿ＯＦＦ信号１２４をローレベルにする。そして、カラムドライバラッチ信号発生器７１からラッチ信号１２２が出力されると、ＤＩＳＰ＿ＯＦＦ信号１２４をハイレベルにする（図２（Ｉ）参照）。
【００３９】
カラムドライバ４０およびロウドライバ５０は、ＤＩＳＰ＿ＯＦＦ端子の入力がロウレベルである期間では、液晶パネル６０の全ての画素の電圧を０Ｖにするように、全てのパネル電極への出力端子から同一の電圧を出力する。その後、ＤＩＳＰ＿ＯＦＦ端子の入力がハイレベルになると、転送されたデータにもとづく電圧レベルを出力する。ＤＩＳＰ＿ＯＦＦ端子に入力されるＤＩＳＰ＿ＯＦＦ信号１２４はラッチ信号１２２が出力され始めるとハイレベルになるので、カラムドライバ４０およびロウドライバ５０は、ラッチ信号１２２が出力され始めるまでは、液晶パネル６０の全ての画素の電圧を０Ｖにするような電圧をパネル電極に印加する。
【００４０】
このように、この実施の形態によれば、複数ライン同時選択演算処理された最初のカラムデータがラッチ信号１２２によってカラムドライバ４０に取り込まれ、同時に行選択パターンがロウドライバ５０に取り込まれた時点で、ＤＩＳＰ＿ＯＦＦ端子に入力されるＤＩＳＰ＿ＯＦＦ信号１２４が表示許可を示すハイレベルになるので、液晶パネル６０のパネル電極に不正な電圧が印加されることが確実に防止される。また、外部からの液晶駆動用電圧制御信号によってパネル電極への電圧印加制御を行うと、液晶駆動用電圧制御信号がハイレベルになるタイミングの遅れに起因して表示データの欠落が生ずる可能性がある。しかし、この実施の形態によれば、パーソナルコンピュータ等から供給された画像データは欠落なく表示される。
【００４１】
実施形態２．
第１の実施形態では、フレームメモリ２３は２フレーム分のデータ容量を有し、フレームメモリ２３から読み出されたデータがカラムデータ信号発生器２６で複数ライン同時選択演算処理され、処理後のカラムデータおよび行選択パターンがカラムドライバ４０およびロウドライバ５０に送られる時点でラッチ信号１２２を出力開始する複数ライン同時選択駆動装置を例にした。そのような複数ライン同時選択駆動装置におけるＤＩＳＰ＿ＯＦＦ信号発生器７２は、カラムドライバラッチ信号発生器７１から最初のラッチ信号１２２が出力された時点で、ＤＩＳＰ＿ＯＦＦ信号１２４が表示許可を示す状態とすればよい。
【００４２】
これに対して、最初に垂直同期信号等の制御信号１０１が入力された時点からフレームメモリ２３からのデータの読み出し制御を開始する複数ライン同時選択駆動装置も存在する。例えば、メモリ容量を低減するために、第１の実施形態とは異なって、２フレーム分のデータ量に満たない容量のフレームメモリ２３を用いる場合がある。その場合には、一フレーム分のデータの読み出しが完了しないうちに次のフレームのデータの書き込みが開始される。フレームメモリ２３をそのように用いる場合には、最初にダミー読み出しを開始し、その後、所定の時点で第１フレームのデータの書き込みを行うようにすると都合がよい。
【００４３】
図３は、そのような複数ライン同時選択駆動装置おけるドライバ制御信号発生器２９Ｂの一例をカラムドライバ４０、ロウドライバ５０および液晶パネル６０とともに示すブロック図である。図に示すように、ＤＩＳＰ＿ＯＦＦ信号発生器７４は、カラムドライバラッチ信号発生器７３からのカラムドライバラッチ信号１２２および図６に示すタイミングコントロール回路２７から出力される読み出しフレームカウンタ値信号１１４を入力し、カラムドライバ４０とロウドライバ５０の出力を制御するためのＤＩＳＰ＿ＯＦＦ信号１２４を出力する。この実施形態における液晶駆動装置および複数ライン同時選択駆動装置は、ドライバ制御信号発生器２９Ｂを除いて、図６および図７に示された従来の液晶駆動装置１０および複数ライン同時選択駆動装置２０と同様に構成できる。なお、図３では、複数ライン同時選択駆動装置２０におけるドライバ制御信号発生器２９Ｂのみが示されている。
【００４４】
次に、図３、図６および図７のブロック図、ならびに図４のタイミング図を参照して動作について説明する。
図４において、
（Ａ）は液晶表示装置１０に供給される電源電圧、
（Ｂ）は液晶表示装置１０に供給される垂直同期信号、
（Ｃ）は液晶表示装置１０に供給されるドットクロック信号、
（Ｄ）は液晶表示装置１０に供給される画像データ信号、
（Ｅ）は書き込みデータバッファ２２からフレームメモリ２３に出力されるデータ信号、
（Ｆ）はフレームメモリ２３から読み出しデータバッファ２５に出力されるデータ信号、
（Ｇ）はカラムデータ信号発生器２６からカラムドライバ４０へ出力されるカラムデータ信号、
（Ｈ）はタイミングコントロール回路２７から出力される読み出しフレームカウンタ値信号、
（Ｉ）はカラムドライバラッチ信号発生器７３から出力されるラッチ信号、
（Ｊ）はＤＩＳＰ＿ＯＦＦ信号発生器７４から出力されるＤＩＳＰ＿ＯＦＦ信号、
をそれぞれ示す。
【００４５】
図４（Ａ）に示すように電源が投入され液晶表示装置１０に電源電圧の供給が開始されると、図４（Ｂ），（Ｃ）に示すように、一定時間経過後、パーソナルコンピュータ等の側からドットクロック信号および垂直同期信号等の制御信号１０１が供給される。続いて、画像データ信号１００が供給される（図４（Ｄ）参照）。画像データ信号１００は、複数ライン同時選択駆動装置２０内のフレーム変調回路２１でフレーム変調処理が施された後、書き込みデータバッファ２２に書き込まれる。所定ビット数のデータが書き込みデータバッファ２２に書き込まれると、データはフレームメモリに転送される（図４（Ｅ）参照）。
【００４６】
この場合には、フレームメモリ２３からの読み出し動作は、垂直同期信号およびドットクロック等の制御信号１０１が入力される時点で開始される。すなわち、メモリコントロール回路２４は、タイミングコントロール回路２７を介して垂直同期信号が入力されたことを知ると、フレームメモリ２３から読み出しデータバッファ２５にデータが読み出されるように制御する（図４（Ｆ）参照）。ここで、読み出されたデータは、当初フレームメモリ２３に存在する不定なデータである（図４（Ｆ）の一フレーム分のデータ（不定データ）の部分を参照）。読み出された不定なデータは、そのままカラムデータ信号発生器２６で複数ライン同時選択駆動のために演算処理され、演算結果であるカラムデータ１０４がカラムドライバ４０に出力される（図４（Ｇ）の一フレーム分のデータ（不定データ）の部分を参照）。
【００４７】
一行分のカラムデータ１０４がカラムドライバ４０に送られる毎に、カラムドライバラッチ信号発生器７３は、データをカラムドライバ４０に取り込ませるためのラッチ信号１２２を出力する（図４（Ｉ）参照）。
第１の実施形態におけるＤＩＳＰ＿ＯＦＦ信号発生器７２は、最初のラッチ信号１２２が出力された時点でＤＩＳＰ＿ＯＦＦ信号をハイレベルにした。そのようなＤＩＳＰ＿ＯＦＦ信号発生器７２をこの実施形態に適用すると、一フレーム分の不定データにもとづく表示が行われてしまう。
【００４８】
外部のパーソナルコンピュータ等から液晶表示装置１０に供給された画像データは、図４（Ｅ）に示すタイミングでフレームメモリ２３に書き込まれる。書き込まれたデータは、読み出しデータバッファ２５に読み出され、カラムデータ信号発生器２６で複数ライン同時選択演算処理された後、カラムドライバ４０に出力される（図４（Ｆ）の一フレームのデータ（確定データ）の部分、図４（Ｇ）の一フレームのデータ（確定データ）の部分を参照）。なお、確定データとは、外部のパーソナルコンピュータ等から入力された画像データにもとづくカラムデータ１０４である。
【００４９】
複数ライン同時選択駆動装置２０におけるタイミングコントロール回路２７は、通常、フレームカウンタを内蔵している。このフレームカウンタは、フレームメモリ２３から一フレーム分のデータが読み出されている期間を示し、一フレームの読み出しが完了するとカウント値をカウントアップする（図４（Ｈ）参照）。従って、フレームカウンタの値が所定値になった時点でフレームメモリ２３から確定データの読み出しが開始され、カラムドライバ４０に確定データが出力される。図４に示す例では、その時点は、フレームカウンタの値＝２になった時点である。
【００５０】
そこで、ＤＩＳＰ＿ＯＦＦ信号発生器７４は、フレームカウンタから出力される読み出しフレームカウンタ値信号１１４を利用してＤＩＳＰ＿ＯＦＦ信号を生成する。つまり、フレームカウンタの値が所定の値になるとフレームメモリ２３から確定データの読み出しが開始されるので、その時点でＤＩＳＰ＿ＯＦＦ信号をハイレベルする。図４に示す例では、フレームカウンタの値＝２になった後に、ＤＩＳＰ＿ＯＦＦ信号をハイレベルする。
【００５１】
ＤＩＳＰ＿ＯＦＦ信号発生器７４は、液晶表示装置１０に電源の供給が開始されるとＤＩＳＰ＿ＯＦＦ信号１２４をローレベルにし、読み出しフレームカウンタ値信号１１４が示す値が「２」になった後、一行分の確定データがカラムドライバ４０に送られたことを示すラッチ信号が出力された時点でＤＩＳＰ＿ＯＦＦ信号１２４をローレベルからハイレベルにする（図４（Ｊ）参照）。このようにすれば、カラムドライバ４０およびロウドライバ５０は、供給された画像データにもとづいた正常な表示を行うことができる。
【００５２】
以上のように、ＤＩＳＰ＿ＯＦＦ信号発生器７４は、電源電圧の供給が開始されるとＤＩＳＰ＿ＯＦＦ信号１２４をローレベルに保持し、強制的にカラムドライバ４０およびロードライバ５０から同一レベルの電圧が出力される状態にする。その後、ＤＩＳＰ＿ＯＦＦ信号発生器７４は、読み出しフレームカウンタの値およびラッチ信号１２２を利用して、確定した画像データが複数ライン同時選択演算処理されたカラムデータおよび行選択パターンがカラムドライバ４０およびロードライバ５０に取り込まれたことを知ると、ＤＩＳＰ＿ＯＦＦ信号１２４をローレベルからハイレベルに切り替える。すなわち、カラムドライバ４０およびロードライバ５０から同一レベルの電圧が出力される状態を解除する。従って、確定データがカラムドライバ４０に供給される前にラッチ信号１２２が出力される複数ライン同時選択駆動装置２０においても、不定なデータにもとづいた不定な電圧が液晶パネル１０のパネル電極に印可され不正な表示が行われることが防止される。
【００５３】
【発明の効果】
以上のように、本発明によれば、液晶表示装置に電源電圧の供給が開始された時点から、入力された画像データをもとに作成された所定の電圧が液晶表示装置の行電極および列電極に印加開始される時点まで、行電極および列電極に同レベルの電圧が出力されるので、不定な電圧レベルが液晶パネルの電極に印加されて液晶の破損を引き起こすという事態や、液晶表示装置に供給された画像データにもとづかない不正な表示が起きたりする事態を防止でき、高品位の画像を安定に供給することが可能になる。さらに、液晶表示装置に供給された画像データが欠落することなく表示される。
【図面の簡単な説明】
【図１】第１の実施形態による複数ライン同時選択駆動装置おけるドライバ制御信号発生器の一例をカラムドライバ、ロウドライバおよび液晶パネルとともに示すブロック図である。
【図２】図１に示された複数ライン同時選択駆動装置を適用した液晶表示装置における各信号を示すタイミング図である。
【図３】第２の実施形態による複数ライン同時選択駆動装置おけるドライバ制御信号発生器の一例をカラムドライバ、ロウドライバおよび液晶パネルとともに示すブロック図である。
【図４】図３に示された複数ライン同時選択駆動装置を適用した液晶表示装置における各信号を示すタイミング図である。
【図５】複数ライン同時選択法によるカラムデータ信号を説明するための説明図である。
【図６】複数ライン同時選択駆動装置を適用した液晶表示装置を示すブロック図である。
【図７】複数ライン同時選択駆動装置を示すブロック図である。
【図８】従来の複数ライン同時選択駆動装置を適用した液晶表示装置における各信号を示すタイミング図である。
【図９】従来の液晶表示装置に液晶表示装置における各信号を示すタイミング図である。
【図１０】複数ライン同時選択駆動装置をもつ液晶表示装置に液晶駆動用電圧制御信号が供給される場合の構成を示すブロック図である。
【図１１】図１０に示された液晶表示装置における各信号を示すタイミング図である。
【符号の説明】
１０  液晶表示装置
２０  複数ライン同時選択駆動装置
２９Ａ，２９Ｂ  ドライバ制御信号発生器
７１，７３  カラムドライバラッチ信号発生器
７２，７４  ＤＩＳＰ＿ＯＦＦ信号発生器


【手続補正２】
【補正対象書類名】図面
【補正対象項目名】図５
【補正方法】変更
【補正の内容】
【図５】
1998170882.tif 000001